【事件の表示】
　特許第３３５３６２９号「多色画像記録装置」の請求項１ないし７に係る特許に対する特許異議の申立てについて、次のとおり決定する。
【結　論】
　訂正を認める。
　特許第３３５３６２９号の請求項１ないし３に係る特許を取り消す。
【理　由】
第１　手続の経緯
　優先権主張の基礎となる出願から本決定に至るまでの主だった経緯を箇条書きにすると次のとおりである。
・平成７年１２月２６日　特許権者らにより特願平７−３３９５４９号出願
・平成８年１２月２４日　特許権者らにより、上記出願に基づく優先権を主張して本件出願
・平成１４年９月２７日　特許権の設定登録（請求項１〜請求項７）
・平成１５年６月２日　特許異議申立人中石幸明より請求項１〜請求項７に係る特許に対して特許異議申立
・同年８月２０日付けで当審にて取消理由通知
・同年１０月２４日　特許権者らにより特許異議意見書及び訂正請求書提出
・同年１１月１０日付けで当審にて訂正拒絶理由通知
・平成１６年１月１６日　特許権者らにより意見書及び手続補正書（訂正請求書）提出
　
第２　訂正の許否の判断
１．補正の採否
（１）平成１６年１月１６日付けの手続補正による補正事項
［補正事項１］請求項１の記載を補正前の「記録媒体に対峙して固定配置された記録素子アレイを外部より入力する所定解像度の画像データに応じて選択的に駆動することにより前記記録媒体に記録を行う印字ヘッドを記録色毎に異なる位置に複数配した多色画像記録装置において、
　前記記録素子アレイは、副走査方向に対して前記所定解像度のｎ倍の画素密度で記録可能な単位記録素子の集合で構成されるとともに、
　それぞれ異なる色の印字データを、前記同一位置の原画像が前記記録媒体上の記録位置において合致するように異なる記録タイミングに対応して、各色別の印字データを対応する色の印字ヘッドに転送出力して記録する同期データ転送手段と、
　各印字ヘッド毎に、印字データを所定ライン分保持する補正用データ記憶手段と、
　原画像の主走査方向の１ラインデータを補正すべき印字ヘッドの位置ずれ量に応じた分割数に従ったデータ数毎に順次前記ヘッドの傾きとは逆方向にラインシフトしながら前記補正用データ記憶手段の複数ライン分のメモリ領域に跨ってアドレス指定しつつ原画像の１ラインデータを書き込む処理を繰り返し、
　主走査方向に沿ったライン領域に格納された１ラインデータを読み出す処理を繰り返す
　書き込み読み出し制御手段と、
　該書き込み読み出し制御手段により読み出された１ラインのデータを印字ヘッドに出力し、記録媒体に印字を行う印字制御手段と、
　を備えることを特徴とする多色画像記録装置。」から、
「感光体に対峙して固定配置された記録素子アレイを外部より入力する所定解像度の画像データに応じて選択的に発光させることにより感光体を選択的に露光し、静電潜像を形成する画像露光部を異なる位置に複数有する多色画像記録装置において、前記記録素子アレイは、副走査方向に対して前記所定解像度のｎ倍の画素密度で記録可能な単位記録素子の集合で構成されるとともに、それぞれ異なる色の印字データを、前記同一位置の原画像が前記記録媒体上の記録位置において合致するように異なる記録タイミングに対応して、各色別の印字データを対応する色の画像露光部に転送出力して記録する同期データ転送手段と、各画像露光部毎に、印字データを所定ライン分保持する補正用データ記憶手段と、原画像の主走査方向の１ラインデータを補正すべき画像露光部の位置ずれ量に応じた分割数に従ったデータ数毎に順次前記画像露光部の傾きとは逆方向にラインシフトしながら前記補正用データ記憶手段の複数ライン分のメモリ領域に跨ってアドレス指定しつつ原画像の１ラインデータを書き込む処理を繰り返し、主走査方向に沿ったライン領域に格納された１ラインデータを読み出す処理を繰り返す書き込み読み出し制御手段と、該書き込み読み出し制御手段により読み出された１ラインのデータを画像露光部に出力し、記録媒体に印字を行う印字制御手段と、を備えることを特徴とする多色画像記録装置。」と補正する。
［補正事項２］補正前請求項２記載の「印字ヘッド」を「画像露光部」と補正する、との訂正を追加する。
［補正事項３］明細書の段落【０００８】の記載を補正前の「【課題を解決するための手段】上記課題は請求項１記載の発明によれば、記録媒体に対峙して固定配置された記録素子アレイを外部より入力する所定解像度の画像データに応じて選択的に駆動することにより前記記録媒体に記録を行う印字ヘッドを記録色毎に異なる位置に複数配した多色画像記録装置において、前記記録素子アレイは、副走査方向に対して前記所定解像度のｎ倍の画素密度で記録可能な単位記録素子の集合で構成されるとともに、それぞれ異なる色の印字データを、前記同一位置の原画像が前記記録媒体上の記録位置において合致するように異なる記録タイミングに対応して、各色別の印字データを対応する色の印字ヘッドに転送出力して記録する同期データ転送手段と、各印字ヘッド毎に、印字データを所定ライン分保持する補正用データ記憶手段と、原画像の主走査方向の１ラインデータを補正すべき印字ヘッドの位置ずれ量に応じた分割数に従ったデータ数毎に順次前記ヘッドの傾きとは逆方向にラインシフトしながら前記補正用データ記憶手段の複数ライン分のメモリ領域に跨ってアドレス指定しつつ原画像の１ラインデータを書き込む処理を繰り返し、主走査方向に沿ったライン領域に格納された１ラインデータを読み出す処理を繰り返す書き込み読み出し制御手段と、該書き込み読み出し制御手段により読み出された１ラインのデータを印字ヘッドに出力し、記録媒体に印字を行う印字制御手段と、を備えることを特徴とする多色画像記録装置を提供することで達成できる。」から「【課題を解決するための手段】上記課題は請求項１記載の発明によれば、感光体に対峙して固定配置された記録素子アレイを外部より入力する所定解像度の画像データに応じて選択的に発光させることにより感光体を選択的に露光し、静電潜像を形成する画像露光部としての印字ヘッドを異なる位置に複数有する多色画像記録装置において、前記記録素子アレイは、副走査方向に対して前記所定解像度のｎ倍の画素密度で記録可能な単位記録素子の集合で構成されるとともに、それぞれ異なる色の印字データを、前記同一位置の原画像が前記記録媒体上の記録位置において合致するように異なる記録タイミングに対応して、各色別の印字データを対応する色の画像露光部に転送出力して記録する同期データ転送手段と、各画像露光部毎に、印字データを所定ライン分保持する補正用データ記憶手段と、原画像の主走査方向の１ラインデータを補正すべき画像露光部の位置ずれ量に応じた分割数に従ったデータ数毎に順次前記画像露光部の傾きとは逆方向にシフトしながら前記補正用データ記憶手段の複数ライン分のメモリ領域に跨ってアドレス指定しつつ原画像の１ラインデータを書き込む処理を繰り返し、主走査方向に沿ったライン領域に格納された１ラインデータを読み出す処理を繰り返す書き込み読み出し制御手段と、該書き込み読み出し制御手段により読み出された１ラインのデータを画像露光部に出力し、記録媒体に印字を行う印字制御手段と、を備えることを特徴とする多色画像記録装置を提供することで達成できる。」に補正する。
［補正事項４］明細書の段落【００１６】に記載の「印字ヘッド」を「画像露光部」に補正する、との訂正を追加する。
［補正事項５］明細書の段落【００９４】に記載の「以上説明したように、本発明によれば以下のような効果を有する。請求項１記載の発明によれば、」を「以上説明したように、本発明によれば、」と補正する、との訂正を追加する。
［補正事項６］明細書の段落【００９５】の記載を、補正前の「請求項２記載の発明によれば、メモリ容量を削減することができ、上述と同様装置の低コスト化を図ることができる。さらに、請求項３から請求項６記載のように発明を具体化することにより、更にメモリの使用量を減らし低コスト化を図ることができる。さらに、請求項３から請求項６記載のように発明を具体化することにより、更にメモリの使用量を減らし低コスト化を図ることができる。」から「また本発明によれば、メモリ容量を削減することができ、上述と同様装置の低コスト化を図ることができる。」と補正する、との訂正を追加する。
［補正事項７］明細書の段落【００９６】の記載を削除する、との訂正を追加する。
　
（２）補正事項についての検討
　補正前後の請求項１の記載を比較すると、大幅な補正がされているから、一見すると補正事項１は、訂正請求書の要旨を変更する補正であるようにみえる。しかし、平成１５年１０月２４日付け訂正請求書に「特許請求の範囲の減縮を目的として、もとの請求項１、３、４，７を削除し、以下項数を繰り上げ「１、２、３」と訂正します。」（４頁２８〜２９行）、及び「上記の訂正点のうち、「記録媒体に対峙して固定配置された記録素子アレイを外部より入力する所定解像度の画像データに応じて選択的に駆動することにより前記記録媒体に記録を行う印字ヘッドを記録色毎に異なる位置に複数配した多色画像記録装置において、前記記録素子アレイは、副走査方向に対して前記所定解像度のｎ倍の画素密度で記録可能な単位記録素子の集合で構成されるとともに、」は、出願時（決定注．「特許時」の趣旨と解する。）の特許明細書の請求項１に記載された要件であり」（９頁１３行）と記載されていることからすると、訂正後請求項１は、訂正前請求項２に訂正前請求項１の限定を加えたものとなるべきである。ところが、平成１５年１０月２４日付け訂正請求書に添付された訂正明細書ではそのようになっていないから、これは特許権者らが誤記したものと解するべきである。
　また、訂正前請求項２に訂正前請求項１の限定を加える関係上、訂正前請求項２記載の「印字ヘッド」はその下位概念たる「画像露光部」となるべきであるが、補正前訂正明細書ではその処理が施されていなかった。補正事項１，２のうち「印字ヘッド」を「画像露光部」に補正することは、当然施すべきその処理をしたにすぎない。さらに補正事項１では、改行及び空白の削除が行われているが、これは単に体裁を整えるにすぎない。
　したがって、補正事項１，２は、訂正請求書の要旨を変更するというほどの補正には当たらない。補正事項３，４は、特許請求の範囲の補正に伴う発明の詳細な説明の補正であるから、これも同様である。
　また、補正事項５〜７については、請求項削除等に伴って、作用効果の記載も改めるべきであったところ、本件補正前ではその処理が施されていなかったものを施した程度であるから、これも訂正請求書の要旨を変更するというほどの補正には当たらない。
　
（３）補正の採否の結論
　以上のとおりであるから、平成１６年１月１６日付けの手続補正を採用する。
　
２．訂正の内容
　平成１６年１月１６日付けの手続補正が採用されるから、訂正事項は次のとおりである。
［訂正事項１］請求項１を削除し、請求項２を請求項１と改めた上で、その記載を、
「感光体に対峙して固定配置された記録素子アレイを外部より入力する所定解像度の画像データに応じて選択的に発光させることにより感光体を選択的に露光し、静電潜像を形成する画像露光部を異なる位置に複数有する多色画像記録装置において、前記記録素子アレイは、副走査方向に対して前記所定解像度のｎ倍の画素密度で記録可能な単位記録素子の集合で構成されるとともに、それぞれ異なる色の印字データを、前記同一位置の原画像が前記記録媒体上の記録位置において合致するように異なる記録タイミングに対応して、各色別の印字データを対応する色の画像露光部に転送出力して記録する同期データ転送手段と、各画像露光部毎に、印字データを所定ライン分保持する補正用データ記憶手段と、原画像の主走査方向の１ラインデータを補正すべき画像露光部の位置ずれ量に応じた分割数に従ったデータ数毎に順次前記画像露光部の傾きとは逆方向にラインシフトしながら前記補正用データ記憶手段の複数ライン分のメモリ領域に跨ってアドレス指定しつつ原画像の１ラインデータを書き込む処理を繰り返し、主走査方向に沿ったライン領域に格納された１ラインデータを読み出す処理を繰り返す書き込み読み出し制御手段と、該書き込み読み出し制御手段により読み出された１ラインのデータを画像露光部に出力し、記録媒体に印字を行う印字制御手段と、を備えることを特徴とする多色画像記録装置。」と訂正する。
［訂正事項２］請求項３及び請求項４を削除し、請求項５を請求項２に改めた上で、その記載を「前記補正用データ記憶手段から読み出される１ラインデータは、画像露光部の記録素子アレイの個々の記録素子の駆動条件を決める情報としてシフトレジスタに転送され、その条件に従って、記録素子が駆動されることを特徴とする請求項１記載の多色画像記録装置。」と訂正する。
［訂正事項３］請求項６を請求項３と改める。
［訂正事項４］明細書の段落【０００８】の記載を、「【課題を解決するための手段】
　上記課題は請求項１記載の発明によれば、感光体に対峙して固定配置された記録素子アレイを外部より入力する所定解像度の画像データに応じて選択的に発光させることにより感光体を選択的に露光し、静電潜像を形成する画像露光部としての印字ヘッドを異なる位置に複数有する多色画像記録装置において、前記記録素子アレイは、副走査方向に対して前記所定解像度のｎ倍の画素密度で記録可能な単位記録素子の集合で構成されるとともに、それぞれ異なる色の印字データを、前記同一位置の原画像が前記記録媒体上の記録位置において合致するように異なる記録タイミングに対応して、各色別の印字データを対応する色の画像露光部に転送出力して記録する同期データ転送手段と、各画像露光部毎に、印字データを所定ライン分保持する補正用データ記憶手段と、原画像の主走査方向の１ラインデータを補正すべき画像露光部の位置ずれ量に応じた分割数に従ったデータ数毎に順次前記画像露光部の傾きとは逆方向にシフトしながら前記補正用データ記憶手段の複数ライン分のメモリ領域に跨ってアドレス指定しつつ原画像の１ラインデータを書き込む処理を繰り返し、主走査方向に沿ったライン領域に格納された１ラインデータを読み出す処理を繰り返す書き込み読み出し制御手段と、該書き込み読み出し制御手段により読み出された１ラインのデータを画像露光部に出力し、記録媒体に印字を行う印字制御手段と、を備えることを特徴とする多色画像記録装置を提供することで達成できる。」と訂正する。
［訂正事項５］明細書の段落【００１３】の「請求項３の記載は、請求項２記載の発明をより具体的にするものであり、」との記載、及び段落【００１５】の「請求項４の記載は、請求項２又は３記載の発明をより具体的にするものであり、」との記載、並びに段落【０００９】、段落【００１０】、段落【００１８】〜段落【００２０】及び段落【００９６】の全記載を削除する。
［訂正事項６］明細書の段落【００１６】の「請求項５の記載のように、前記補正用データ記憶手段から読み出される１ラインデータは、印字ヘッドの記録素子アレイの個々の記録素子の駆動条件を決めるシフトレジスタに転送され、その条件に従って、記録素子が駆動される。」との記載を「請求項２の記載のように、前記補正用データ記憶手段から読み出される１ラインデータは、画像露光部の記録素子アレイの個々の記録素子の駆動条件を決める情報としてシフトレジスタに転送され、その条件に従って、記録素子が駆動される。」と訂正する。
［訂正事項７］明細書の段落【００１７】の「請求項６の記載は、」との記載を「請求項３の記載は、」と訂正する。
［訂正事項８］明細書の段落【００９４】の「以上説明したように、本発明によれば以下のような効果を有する。請求項１記載の発明によれば、」との記載を「以上説明したように、本発明によれば、」と訂正する。
［訂正事項９］明細書の段落【００９５】の記載を、「また本発明によれば、メモリ容量を削減することができ、上述と同様装置の低コスト化を図ることができる。」と訂正する。
　
３．訂正事項についての判断
　請求項１，３，４の削除並びにこれに伴う、訂正前請求項２，５の請求項番号及び引用請求項番号の変更（訂正事項１，２）は、特許請求の範囲の減縮を目的とするものと認める。
　訂正事項１の残余の事項のうち、「感光体に対峙して固定配置された記録素子アレイを外部より入力する所定解像度の画像データに応じて選択的に発光させることにより感光体を選択的に露光し、静電潜像を形成する画像露光部を異なる位置に複数有する多色画像記録装置において、」を「感光体に対峙して固定配置された記録素子アレイを外部より入力する所定解像度の画像データに応じて選択的に発光させることにより感光体を選択的に露光し、静電潜像を形成する画像露光部を異なる位置に複数有する多色画像記録装置において、前記記録素子アレイは、副走査方向に対して前記所定解像度のｎ倍の画素密度で記録可能な単位記録素子の集合で構成されるとともに、」と訂正すること、「印字ヘッド」を「画像露光部」と訂正すること、及び「補正すべき印字ヘッドの位置ずれ量に応じて前記補正用データ記憶手段の複数ライン領域にわたって原画像の１ラインデータを書き込む処理を繰り返し、主走査方向に沿ったライン領域に格納された１ラインデータを読み出す書き込み読み出し制御手段」を「原画像の主走査方向の１ラインデータを補正すべき画像露光部の位置ずれ量に応じた分割数に従ったデータ数毎に順次前記画像露光部の傾きとは逆方向にラインシフトしながら前記補正用データ記憶手段の複数ライン分のメモリ領域に跨ってアドレス指定しつつ原画像の１ラインデータを書き込む処理を繰り返し、主走査方向に沿ったライン領域に格納された１ラインデータを読み出す処理を繰り返す書き込み読み出し制御手段」と訂正することは、いずれもは特許請求の範囲の減縮を目的とするものと認める。
　訂正事項１のうち「前記異なる記録タイミング」を「異なる記録タイミング」と訂正することは、明りょうでない記載の釈明を目的とするものと認める。
　訂正事項２のうち「個々の記録素子の駆動条件を決めるシフトレジスタに転送され」を「個々の記録素子の駆動条件を決める情報としてシフトレジスタに転送され」と訂正することは、明りょうでない記載の釈明を目的とするものと認める。
　訂正事項３は、一見すると、訂正前請求項６が訂正前請求項１を引用し、訂正後請求項３が引用する訂正後請求項２は訂正前請求項１ではなく訂正前請求項２を減縮したものであるから、違法な訂正であるように考えられる。しかし、訂正前請求項６が引用する訂正前請求項１には「感光体に対峙して固定配置された記録素子アレイ」との限定があるから、「前記記録素子は感光体を露光する光書き込み素子であり」との限定は無意味である。そればかりか、訂正前明細書には「請求項６の記載は、上記請求項２記載の発明をより具体化するものであり、」（段落【００１７】）との記載があり、さらに訂正前請求項２には「記録素子は感光体を露光する光書き込み素子」であることについての一切の限定はない。そうである以上、訂正前請求項６に「請求項１の記載の」とあるのは「請求項２の記載の」（正確には「請求項２記載の」又は「請求項２に記載の」と記すべきであるが、問題とするほどではない。）の誤記と解すべきである。したがって、訂正事項３は、誤記の訂正を目的とするものと認める。
　訂正事項４〜訂正事項９はいずれも、特許請求の範囲の訂正に伴って発明の詳細な説明を訂正するものであるから、その目的は訂正事項１〜訂正事項３の目的と異ならない。
　訂正事項１〜訂正事項９が、願書に添付した明細書又は図面に記載の範囲内でなされたこと、及び訂正事項１〜訂正事項９が特許請求の範囲を実質上拡張又は変更するものでないことは明らかである。
　
４．訂正の許否の判断の結論
　以上のとおりであり、平成１６年１月１６日付けで補正された平成１５年１０月２４日付け訂正請求は、平成１５年改正前特許法１２０条の４第２項の規定、同条３項で準用する同法１２６条２項及び３項の規定に適合するので、上記訂正請求による訂正を認める。
　
第３　特許異議申立についての当審の判断
１．本件発明の認定
　平成１６年１月１６日付けで補正された訂正請求が認められるから、請求項１〜請求項３に係る発明は、同手続補正書に添付された訂正明細書（以下、単に「訂正明細書」という。）の特許請求の範囲【請求項１】から【請求項３】に記載された事項によって特定される次のとおりのものと認める。本決定は、「発明を特定するための事項」という意味で「構成」という用語を用いることを予めことわっておく。
「【請求項１】感光体に対峙して固定配置された記録素子アレイを外部より入力する所定解像度の画像データに応じて選択的に発光させることにより感光体を選択的に露光し、静電潜像を形成する画像露光部を異なる位置に複数有する多色画像記録装置において、前記記録素子アレイは、副走査方向に対して前記所定解像度のｎ倍の画素密度で記録可能な単位記録素子の集合で構成されるとともに、それぞれ異なる色の印字データを、前記同一位置の原画像が前記記録媒体上の記録位置において合致するように異なる記録タイミングに対応して、各色別の印字データを対応する色の画像露光部に転送出力して記録する同期データ転送手段と、各画像露光部毎に、印字データを所定ライン分保持する補正用データ記憶手段と、原画像の主走査方向の１ラインデータを補正すべき画像露光部の位置ずれ量に応じた分割数に従ったデータ数毎に順次前記画像露光部の傾きとは逆方向にラインシフトしながら前記補正用データ記憶手段の複数ライン分のメモリ領域に跨ってアドレス指定しつつ原画像の１ラインデータを書き込む処理を繰り返し、主走査方向に沿ったライン領域に格納された１ラインデータを読み出す処理を繰り返す書き込み読み出し制御手段と、該書き込み読み出し制御手段により読み出された１ラインのデータを画像露光部に出力し、記録媒体に印字を行う印字制御手段と、を備えることを特徴とする多色画像記録装置。」（以下「本件発明１」という。）
「【請求項２】前記補正用データ記憶手段から読み出される１ラインデータは、前記画像露光部の記録素子アレイの個々の記録素子の駆動条件を決める情報としてシフトレジスタに転送され、その条件に従って、記録素子が駆動されることを特徴とする請求項１記載の多色画像記録装置。」（以下「本件発明２」という。）
「【請求項３】前記記録素子は感光体を露光する光書き込み素子であり、前記記録媒体は電子写真方式により記録されることを特徴とする請求項１の記載の（決定注．「請求項１記載の」の趣旨と認める。）多色画像記録装置。」（以下「本件発明３」という。）
　
２．引用刊行物の記載事項
　当審における取消理由通知に引用した特開平４−２９１３７２号公報（特許異議申立人の提出した甲第１号証、以下「引用例１」という。）には、次のア〜セの記載又は図示がある。なお「…」は引用例１自体にある中略であり、「・・・」は当審における中略を示す。
　ア．「感光ドラム（１）とアレイ状に並んだ発光素子からなる露光源（３）とプリントすべき画像情報を記憶する画像情報記憶部（６０）及び露光源制御部（３０）とを少なくとも備え、上記露光源制御部（３０）が画像情報に基づいて予め帯電させられた感光ドラム上に露光するように露光源（３）へライン毎に指示し、当該感光ドラム上の上記画像情報に対応した位置に潜像を形成し、当該潜像に対応してトナーを付着させ、当該トナーを記録媒体（１００）へ転写の後に融着させることにより上記プリントすべき画像を記録媒体（１００）にプリントするプリンタにおいて、露光源制御部（３０）に、露光源（３）が露光する夫々の露光ドット（３−ｉ）の予め定められた基準位置に対する位置ずれの補正のための情報を記憶する補正情報記憶部（７０）と、上記画像情報記憶部（６０）の画像情報及び上記露光ドットの位置ずれ補正情報によって露光パターンを決定する露光位置補正回路（５０）とを設け、上記露光位置補正回路（５０）が上記決定された露光パターンに基づいてライン毎に露光源（３）が露光を行うことにより露光源（３）が露光する夫々の露光ドット（３−ｉ）の位置ずれを補正するようにしたことを特徴とするプリンタの露光位置補正処理方式。」（【請求項１】）
　イ．「上記補正情報記憶部（７０）は、１走査ラインをＮ個（Ｎ≧２）の時間間隔に分割した各サブラインに対応した位置ずれ補正情報を保持するよう構成されると共に、上記露光位置補正回路（５０）は、上記サブライン単位で上記夫々の露光ドット（３−ｉ）の位置ずれを補正するようにしたことを特徴とする請求項１記載のプリンタの露光位置補正処理方式。」（【請求項２】）
　ウ．「感光ドラム（１）と露光源（３）と露光源制御部（３０）とからなる記録ユニットを複数備え、夫々の記録ユニットが相異なる色の像を請求項１記載の露光位置補正処理方式を使用して記録媒体（１００）へプリントして、カラーのプリントを行うプリンタ。」（【請求項３】）
　エ．「図９はカラープリンタの例を示す。この図は露光源としてＬＥＤアレイを用いたカラープリンタの例である。１ａないし１ｄは感光ドラム、・・・３ａないし３ｄは露光用ＬＥＤアレイ、・・・このプリンタは３原色のイエロー、マゼンタ、シアンにブラックを加えた４色の記録を行うための４組の記録ユニットＰ１ないしＰ４を備え」（段落【０００２】）
　オ．「ＬＥＤアレイの露光ラインが一直線状に並んでいないと、記録画像の直線が凸凹する問題がある。特にカラープリンタにおいては、記録ユニットが複数並んだ構成を採っているため、それぞれのＬＥＤアレイの露光ドット位置がずれていると各色の露光ドット位置が異なることになり、色ずれをおこして出力画像が劣化することになる。」（段落【０００７】）
　カ．「位置補正情報の作成・・・あらかじめ、ＬＥＤアレイの取りつけ位置を基準とする基準ドット位置（座標）をもとに実際のＬＥＤアレイのドット位置ずれを測定しておく。これは、それぞれのＬＥＤアレイに特有であるから、ＬＥＤアレイ毎に測定する。次に、測定したドット位置ずれを補正するための補正情報を位置ずれ量に応じてランク分け（ここでは、１サブラインの間隔を単位とする）して、位置補正メモリ（ＰＲＯＭ）に書き込んでおく。」（段落【００１８】）
　キ．「図４において、２０１は記録データを格納しているページバッファ、２０２はサブライン単位での位置ずれ補正情報が書き込まれる位置補正メモリ（ＰＲＯＭ）、２０３は露光データの構成であって記録パターンを位置補正メモリ２０２の内容にもとづいて構成せしめたもの、２０４は露光データ構成２０３の詳細図、２０５は得られた露光パターン、２０６は露光ラインの曲りであって位置補正メモリ２０２に格納されているものを表わしている。」（段落【００１９】）
　ク．「図５において、符号２０２は図４に対応し、２０７はラインバッファであって図４に示すページパッファ２０１の内容が１ライン分読出されてセットされるもの、２０８はサブラインバッファであってサブラインに対応して位置ずれ補正データを得て格納されるもの、２０９は補正後のドット位置を表わしている。なおドット位置２０９に関連して破線は補正前のドット位置を表わしている。」（段落【００２０】）
　ケ．「処理回路２１０の内部では、ページパッファ２０１からの記録データの１ライン分（アドレス：ｎ）のデータと、対応するＬＥＤアレイのドット番号の補正情報とのデータの論理積が取られる。ただし、補正情報データは図５に示すサブライン２０８の内容として示す如く例えば８サブライン分である。」（段落【００２３】）
　コ．「つまり、記録データ（アドレス：ｎ）と、補正情報データ（アドレス：Ｈ１）、補正情報データ（Ｈ２）、補正情報データ（Ｈ３）、…、補正情報データ（Ｈ８）のそれぞれの補正情報データとの論理積が取られる。・・・さらに、次の１ライン分（アドレス：ｎ＋１）と補正情報データ（Ｈ９）、補正情報データ（Ｈ１０）、補正情報データ（Ｈ１１）、…、補正情報データ（Ｈ１６）のそれぞれの補正情報データと論理積が取られる。・・・さらに、次の１ライン分（アドレス：ｎ＋２）と補正情報データ（Ｈ１７）、補正情報データ（Ｈ１８）、補正情報データ（Ｈ１９）、…、補正情報データ（Ｈ２４）のそれぞれの補正情報データと論理積が取られる。・・・さらに、次の１ライン分（アドレス：ｎ＋３）と補正情報データ（Ｈ２５）、補正情報データ（Ｈ２６）、補正情報データ（Ｈ２７）、…、補正情報データ（Ｈ３２）のそれぞれの補正情報データと論理積が取られる。・・・以上、３２個の論理積が取られた後、ＬＥＤアレイのドット番号に応じて、これらの論理和を取る。この結果、実際に記録される１サブラインのパターンが得られる。これは、処理回路２１０から次のサブラインバッファ２０８へ入力されて保持される。」（段落【００２４】〜段落【００２８】）
　サ．「サブラインバッファ２０８のデータは、ＬＥＤアレイの記録動作に同期してサブラインバッファ２０８から読みだされ、シリアルデータの形に変えられ、データシフトクロックと同期して１サブラインのデータがＬＥＤアレイに送られ、露光動作が行われる。」（段落【００２９】）
　シ．「ＬＥＤアレイはラッチ信号および発光制御信号により・・・、ＬＥＤアレイ内部のシフトレジスタからラッチへデータが転送、保持される。さらにサブライン単位で、発光時間の制御が行われ、露光が行われる。」（段落【００３０】）
　ス．「以上説明したようにして、サブライン単位に発光パターンを変えることにより、図５に示す補正後のドット位置２０９として示す如く、ＬＥＤアレイの各発光素子の記録位置の補正を行うことができる。・・・この結果、主走査方向に延びた直線を記録する場合、記録される線の曲がりを、最大でも１ドットラインの１／Ｎ（図示の例では１／８）の幅まで低下させることができる。」（段落【００３１】〜段落【００３２】）
　セ．【図５】には、ＰＲＯＭ２０２（記載カ，キの「位置補正メモリ」）のドット番号毎に、特定のラインが「１」とされた図、及び８サブラインを１ラインとするサブラインバッファ２０８の記憶状態が図示されており、ＬＥＤアレイのドット番号毎に「１」として記憶されるサブラインが異なるとともに、どのドット番号であっても「１」が８サブライン連続する様子が図示されている。
　
３．引用例１記載の発明の認定
　記載カ，キの「補正情報が書き込まれる位置補正メモリ（ＰＲＯＭ）」が記載ア，イの補正情報記憶部（７０）の具体例である。
　記載ク、コ，サの「サブラインバッファ２０８」は、記載ア，イの「露光位置補正回路」の一部をなすものであり、【図５】では、ＬＥＤアレイのドット位置ずれに応じて、１ライン分の記録データが、ドット番号に応じて異なる８サブラインに書き込まれている。
　記載サ，シによれば、「サブラインバッファ２０８」の個々のサブラインのデータが、シフトレジスタに転送され、ラッチされるものであり、このラッチデータに従って個々のＬＥｄ（記載アの発光素子）の発光が制御される。
　したがって、記載又は図示ア〜セを含む引用例１の全記載又は図示によれば、引用例１には次の発明（以下「引用例発明１」という。）が記載されているものと認められる。
「感光ドラムと発光素子アレイからなる露光源とプリントすべき画像情報を記憶する画像情報記憶部及び露光源制御部とを有する記録ユニットを４組備え、
　露光源制御部に、補正情報記憶部と露光位置補正回路とを設け、
　補正情報記憶部は、１走査ラインをＮ個（Ｎ≧２）に分割した各サブラインに対して、ドット番号毎に発光素子アレイの位置ずれに応じたサブラインを「１」とすることにより、位置ずれ補正情報を保持するよう構成され、
　露光位置補正回路にはサブラインバッファ及び処理回路を設け、処理回路は、補正情報記憶部の出力と画像情報記憶部からのライン出力に応じて、１ライン分のライン出力をサブラインバッファのＮサブラインに書き込み、サブライン毎に読み出すものであり、
　発光素子アレイにはシフトレジスタ及びラッチが設けられており、サブライン毎に読み出されたデータに従って感光ドラムを露光することによって潜像を形成するものであり、
　４組の記録ユニットの各々は、当該潜像に対応してイエロー、マゼンタ、シアン及びブラックの４色のうちの１色のトナーを付着させ、当該トナーを記録媒体へ転写の後に融着させるものであるプリンタ。」
　
４．本件発明１と引用例発明１との一致点及び相違点の認定
　引用例発明１の「感光ドラム」及び「発光素子」は、本件発明１の「感光体」、「記録素子」及び「記録素子アレイ」に相当し、「発光素子アレイ」は「記録素子アレイ」及び「画像露光部」の両者に相当し（本件発明１において「記録素子アレイ」と「画像露光部」は区別されており、「画像露光部」は「記録素子アレイ」だけでなく周辺素子（請求項２記載のシフトレジスタ等）を含むものと解される。引用例発明１の「発光素子アレイ」はシフトレジスタ及びラッチを含むから、「画像露光部」に相当することは問題ない。この意味では、「記録素子アレイ」に相当するとはいえないかもしれないが、シフトレジスタ及びラッチ等を除いた発光素子群だけをみれば、明らかに「記録素子アレイ」に相当するといえるから、このように認定しておく。）、引用例発明１の感光ドラムと発光素子アレイが対峙して固定配置されていることは明らかである。
　引用例発明１が「所定解像度の画像データに応じて選択的に発光させることにより感光体を選択的に露光し、静電潜像を形成する画像露光部を異なる位置に複数有する」ことはいうまでもない。
　引用例発明１の「４組の記録ユニット」はそれぞれイエロー、マゼンタ、シアン及びブラックの記録を行うものであるから、４組を備えた「プリンタ」は「多色画像記録装置」ということができる。
　本件発明１の「記録素子アレイは、副走査方向に対して前記所定解像度のｎ倍の画素密度で記録可能な単位記録素子の集合で構成される」との構成については、単位記録素子により記録される副走査方向のサイズが所定解像度で定まるピッチの１／ｎ程度であり、このサイズの記録を副走査方向に所定解像度で定まるピッチの１／ｎずつずらせてｎ回記録することをいうものと解される。これに対して、引用例発明１においては、１ラインをＮ分割したサブライン毎に露光が行われ、記録される線の曲がりを、最大でも１ドットラインの１／Ｎの幅まで低下させることができるのであるから、副走査方向に所定解像度で定まるピッチの１／ＮずつずらせてＮ回記録することはいえるものの、各回における副走査方向の記録サイズまでが本件発明１と同一であるとまではいえない。ここで引用例発明１の「Ｎ」と本件発明１の「ｎ」は、単に表記が異なるだけであり、その意味するところは同じである。
　引用例発明１では、４つの記録ユニットがタンデム状に配置されており（【図９】参照）、「各色の露光ドット位置が異なることになり、色ずれをおこして出力画像が劣化する」（記載オ）ことを解決するものであるから、当然「それぞれ異なる色の印字データを、前記同一位置の原画像が前記記録媒体上の記録位置において合致するように異なる記録タイミングに対応して、各色別の印字データを対応する色の画像露光部に転送出力して記録する同期データ転送手段」を備えるといえる（引用例発明１の「サブラインバッファ」から読み出されたデータが「印字データ」に相当する。）。
　請求項１の「画像露光部の位置ずれ量」と「画像露光部の傾き」は同義のものとして用いられていることが明らかであり、「画像露光部の傾き」は引用例発明１の「発光素子アレイの位置ずれ」の一形態である。
　引用例発明１の「サブラインバッファ」は本件発明１の「補正用データ記憶手段」に相当するものであり、「印字データを所定ライン分保持する」ものである。そして、１ライン分のライン出力をサブラインバッファのどのＮサブラインに書き込むかは、補正情報記憶部において、どのサブラインが「１」として記憶されているかにより定まるものであり、書き込むべきＮサブラインを決定することは「アドレス指定」といえる。したがって、引用例発明１において「補正情報記憶部の出力と画像情報記憶部からのライン出力に応じて、１ライン分のライン出力をサブラインバッファのＮサブラインに書き込」むことと、本件発明１の「複数ライン分のメモリ領域に跨ってアドレス指定しつつ原画像の１ラインデータを書き込む処理」には相違はない。
　引用例発明１において「サブライン毎に読み出す」ことは、本件発明１の「主走査方向に沿ったライン領域に格納された１ラインデータを読み出す処理」と異ならない。そして、引用例発明１において「サブラインバッファ」に対しての書き込みと読み出しが繰り返されることは明らかであるから、引用例発明１は本件発明１の「書き込み読み出し制御手段」を備えるといえ（「処理回路」がこれに相当する。）、「書き込み読み出し制御手段により読み出された１ラインのデータを画像露光部に出力し、記録媒体に印字を行う印字制御手段と、を備える」点においても、本件発明１と引用例発明１には相違がない。
　したがって、本件発明１と引用例発明１とは、
「感光体に対峙して固定配置された記録素子アレイを所定解像度の画像データに応じて選択的に発光させることにより感光体を選択的に露光し、静電潜像を形成する画像露光部を異なる位置に複数有する多色画像記録装置において、副走査方向に所定解像度で定まるピッチの１／ＮずつずらせてＮ回記録するように構成されるとともに、それぞれ異なる色の印字データを、前記同一位置の原画像が前記記録媒体上の記録位置において合致するように異なる記録タイミングに対応して、各色別の印字データを対応する色の画像露光部に転送出力して記録する同期データ転送手段と、各画像露光部毎に、印字データを所定ライン分保持する補正用データ記憶手段と、原画像の主走査方向の１ラインデータを補正すべき画像露光部の位置ずれ量に応じてラインシフトしながら前記補正用データ記憶手段の複数ライン分のメモリ領域に跨ってアドレス指定しつつ原画像の１ラインデータを書き込む処理を繰り返し、主走査方向に沿ったライン領域に格納された１ラインデータを読み出す処理を繰り返す書き込み読み出し制御手段と、該書き込み読み出し制御手段により読み出された１ラインのデータを印字ヘッドに出力し、記録媒体に印字を行う印字制御手段と、を備えることを特徴とする多色画像記録装置。」である点で一致し、以下の各点で相違する。
〈相違点１〉本件発明１では「所定解像度の画像データ」が外部より入力されるのに対し、引用例発明１ではこの点明らかでない点。
〈相違点２〉本件発明１が「副走査方向に対して前記所定解像度のｎ倍の画素密度で記録可能な単位記録素子の集合で構成される」、すなわち、１回の記録による副走査方向のサイズが所定解像度で定まるピッチの１／ｎ程度となるよう単位記録素子の大きさが限定されているのに対し、引用例発明１がかかる限定を有するかどうか明らかでない点。
〈相違点３〉本件発明１では「原画像の主走査方向の１ラインデータを補正すべき画像露光部の位置ずれ量に応じた分割数に従ったデータ数毎に順次前記画像露光部の傾きとは逆方向にラインシフトしながら」補正用データ記憶手段に書き込むのに対し、引用例発明１では「画像露光部の位置ずれ量」を「画像露光部の傾き」に限定しておらず、その結果本件発明１の上記構成を有するともいえない点。
　
５．相違点の判断及び本件発明１の進歩性の判断
（１）相違点１について
　引用例１に明文記載がなくとも、相違点１に係る本件発明１の構成は記録装置の技術分野における常識的事項である。また、引用例発明１の認定にあたっては、「画像情報記憶部」を引用例発明１の構成の一部としたが、これを除外したものを引用例発明１と認定することも可能であり、その場合「画像情報記憶部」は引用例発明１からみて「外部」となる。
　いずれにしても、相違点１は実質的相違点といえるほどの相違点ではなく、この相違点の存在によって、進歩性が左右されることはあり得ない。
　
（２）相違点２について
　引用例発明１において、副走査方向に所定解像度で定まるピッチの１／ＮずつずらせてＮ回記録することは既に述べたとおりである。ところで、１ラインの記録を副走査方向に順次ずらせて記録を行う場合、１回の記録における副走査方向の記録サイズを、副走査方向の記録ピッチ程度とすることは、良好な記録を行う上で広く採用されていることである。引用例発明１において、１回の記録における副走査方向の記録サイズをこのようにしない場合（所定解像度で定まるピッチ程度のサイズとする場合）、Ｎ回の記録により副走査方向に長いドットが形成されることになり、これが好ましくないことは当業者には明らかである。そうであれば、引用例１に明文記載はないけれども、１回の記録における副走査方向の記録サイズが副走査方向の記録ピッチ程度（所定解像度で定まるピッチの１／Ｎ）となるように、個々の発光素子（本件発明１の「単位記録素子」）の大きさを定めることは設計事項程度というべきである。
　
（３）相違点３について
　取消理由に引用した特開平７−３０４２１１号公報（特許異議申立人の提出した甲第２号証、以下「引用例２」という。）には、「従来のカラ−記録方法にあっては、記録媒体に対して記録ヘッドが傾いて配置してあると、カラ−画像を重ねて記録した場合、カラ−画像の位置ずれによって、色ずれを生じ、所望の色再現が実現できないという問題点があり、色ずれの生じないカラ−記録方法が望まれていた。」（段落【０００２】）との記載があり、【図２】には「カラー電子写真プリンタを示す概略構成図」が図示されている。引用例２の上記段落【０００２】の「カラ−画像の位置ずれによって、色ずれを生じ、所望の色再現が実現できないという問題点」は、引用例１の「ＬＥＤアレイの露光ドット位置がずれていると各色の露光ドット位置が異なることになり、色ずれをおこして出力画像が劣化することになる。」（記載オ）と実質同一であり、引用例２の【図２】と引用例１の【図９】も実質同一である。
　そうすると、引用例１は「記録ヘッドが傾いて配置」されることを「ＬＥＤアレイの露光ドット位置がずれている」ことの例として明記するものではないが、引用例１，引用例２の両者に接した当業者であれば、「記録ヘッドが傾いて配置」されることを、引用例発明１における「発光素子アレイの位置ずれ」の典型例として理解するであろう。
　そして、引用例発明１における「発光素子アレイの位置ずれ」が「記録ヘッドが傾いて配置」である場合、補正情報記憶部の記憶状態が「画像露光部の位置ずれ量に応じた分割数に従ったデータ数毎」に「１」となるサブラインがずれた状態となるように、「画像露光部の傾きとは逆方向にラインシフト」した状態となることは必然である。そして引用例発明１では、「１」となる補正情報記憶部のサブライン番号に従ってサブラインバッファに書き込むべきサブライン番号がアドレス指定されるのであるから、画像露光部の位置ずれ量（発光素子アレイの位置ずれ）と補正用データ記憶手段（サブラインバッファ）への書き込み処理の関係についても、本件発明１でいう「原画像の主走査方向の１ラインデータを補正すべき画像露光部の位置ずれ量に応じた分割数に従ったデータ数毎に順次前記画像露光部の傾きとは逆方向にラインシフトしながら前記補正用データ記憶手段の複数ライン分のメモリ領域に跨ってアドレス指定しつつ原画像の１ラインデータを書き込む処理」にならざるを得ない。
　すなわち、相違点３に係る本件発明１の構成は、引用例発明１の「発光素子アレイの位置ずれ」を引用例２記載の技術に従い「記録ヘッドが傾いて配置」に限定したことにより、採用せざるを得ない構成であり、当業者にとって想到容易といわざるを得ない。
　
（４）本件発明１の進歩性の判断
　相違点１〜相違点３は、実質的相違といえないか、設計事項程度であるか又は当業者にとって想到容易な相違点でしかなく、これら相違点に係る本件発明１の構成を採用したことによる格別の作用効果を認めることもできない。したがって、本件発明１は本件優先日当時の技術常識を踏まえた上で、引用例発明１及び引用例２記載の技術に基づいて当業者が容易に発明できたものとして、本来ならば特許法２９条２項の規定により特許を受けることができない発明である。
　
６．本件発明２の進歩性の判断
　本件発明２は、本件発明１に「前記補正用データ記憶手段から読み出される１ラインデータは、前記画像露光部の記録素子アレイの個々の記録素子の駆動条件を決める情報としてシフトレジスタに転送され、その条件に従って、記録素子が駆動される」との限定を加えるものである。しかし、補正用データ記憶手段から読み出される１ラインデータがシフトレジスタに転送されることは、引用例発明１においても行われている。また、シフトレジスタに転送される情報が「画像露光部の記録素子アレイの個々の記録素子の駆動条件を決める情報」であること、及び「その条件に従って、記録素子が駆動される」ことは当然のことである。
　すなわち、上記本件発明２の限定は引用例発明１との新たな相違点を構成するものではないから、本件発明２も、引用例発明１及び引用例２記載の技術に基づいて当業者が容易に発明できたものとして、本来ならば特許法２９条２項の規定により特許を受けることができない発明である。
　
７．本件発明３の進歩性の判断
　本件発明３は、本件発明１に「前記記録素子は感光体を露光する光書き込み素子であり、前記記録媒体は電子写真方式により記録される」との限定を加えるものであるが、この限定構成は引用例発明１に備わっている。
　すなわち、上記本件発明３の限定は引用例発明１との新たな相違点を構成するものではないから、本件発明３も、引用例発明１及び引用例２記載の技術に基づいて当業者が容易に発明できたものとして、本来ならば特許法２９条２項の規定により特許を受けることができない発明である。
　
第４　むすび
　本件発明１〜本件発明３は、いずれも特許法２９条２項の規定により特許を受けることができない発明であるから、請求項１〜請求項３に係る特許は、特許法２９条２項の規定に違反してされた特許である。
　すなわち、請求項１〜請求項３に係る特許は、平成１５年改正前特許法１１３条２号の規定に該当するから、取り消されなければならない。
　よって、結論のとおり決定する。
【異議決定日】
平成１６年２月１０日（２００４．２．１０）
【訂正の要旨】
審決（決定）の【理由】欄参照。
（５４）【発明の名称】
多色画像記録装置
（５７）【特許請求の範囲】
　【請求項１】　
感光体に対峙して固定配置された記録素子アレイを外部より入力する所定解像度の画像データに応じて選択的に発光させることにより感光体を選択的に露光し、静電潜像を形成する画像露光部を異なる位置に複数有する多色画像記録装置において、前記記録素子アレイは、副走査方向に対して前記所定解像度のｎ倍の画素密度で記録可能な単位記録素子の集合で構成されるとともに、
に異
画像露光部
画像露光部
原画像の主走査方向の１ラインデータを
画像露光部
応じた分割数に従ったデータ数毎に順次前記画像露光部の傾きとは逆方向にラインシフトしながら
複数ライン分のメモリ領域に跨ってアドレス指定しつつ
処理を繰り返す
画像露光部
　【請求項
２
画像露光部
情報として
　【請求項
３
【発明の詳細な説明】
　【０００１】
　【発明の属する技術分野】
　本発明は所謂タンデム方式を用いた多色（カラー）の画像記録装置に関する。
　【０００２】
　【従来の技術】
　カラー印刷を行う多色画像記録装置として、例えばイエロー（Ｙ）、マゼンダ（Ｍ）、シアン（Ｃ）、ブラック（ＢＫ）の印刷を行う画像形成ユニットを配設し、各色の印刷を順次行うことにより、用紙に印刷を行う所謂タンデム方式の多色画像記録装置が知られている。この方式の多色画像記録装置ではイエロー（Ｙ）、マゼンダ（Ｍ）、シアン（Ｃ）、ブラック（ＢＫ）のトナーを用紙に順次転写し、カラー画像を形成するため、各色の画像形成ユニットの配設位置精度が重要になる。すなわち、各色の画像形成ユニットの配設精度が悪いと、形成する画像に位置ずれを生じ、印刷品質の悪い画像となる。
　【０００３】
　このため従来、各色毎の画像の位置ずれを防止し、印刷品質の優れた画像を得るため、以下の発明がなされている。
（イ）先ず、公開特許公報（特開昭５９ー１５５８７０）の発明は、カラー画像の位置ずれを防止するため、各転写位置（画像形成ユニット）の上流側に転写材（用紙）の検知手段を設けておき、この検知手段で転写材の通過を検出し、対応するプリンタ機構を駆動し、画像の転写タイミングの一致を図っている。
　【０００４】
　また、（ロ）公開特許公報（特開昭６２ー１４５９６２）の発明は、複数のレーザ書き込み系（画像形成ユニット）の中で最初のレーザ書き込み系で記録材に標識像を書き込み、以後、各レーザ書き込み系の上流側に設けられた検出器で上記標識像を検出し、各レーザ書き込み系において、画像を転写するタイミングを図り、各色毎の画像のずれを防止している。
　【０００５】
　【発明が解決しようとする課題】
　従来の多色画像記録装置では上述の如く、（イ）、（ロ）の発明共に、転写材（記録材）、又は記録材に形成された標識像を検出する検出手段（検出器）が必要である。また、検出手段の検出結果に従った転写装置等の駆動制御も煩雑である。
　【０００６】
　また、上記（イ）、（ロ）の発明共、転写材（記録材）の搬送方向（副走査方向）の色ずれは調整できるが、上述の副走査方向と直交する主走査方向や斜め方向への色ずれは防止できない。
　【０００７】
　本発明は、こうした実情に鑑みなされたものであり、特別な検出手段（検出器）や制御を必要とすることなく、主走査、副走査方向等の各方向への色ずれを防止できる多色画像記録装置を提供するものである。
　【０００８】
　【課題を解決するための手段】
　上記課題は請求項１記載の発明によれば、
感光体に対峙して固定配置された記録素子アレイを外部より入力する所定解像度の画像データに応じて選択的に発光させることにより感光体を選択的に露光し、静電潜像を形成する画像露光部としての印字ヘッドを異なる位置に複数有する多色画像記録装置において、前記記録素子アレイは、副走査方向に対して前記所定解像度のｎ倍の画素密度で記録可能な単位記録素子の集合で構成されるとともに、
に異
画像露光部
画像露光部
原画像の主走査方向の１ラインデータを
画像露光部
応じた分割数に従ったデータ数毎に順次前記画像露光部の傾きとは逆方向にシフトしながら
複数ライン分のメモリ領域に跨ってアドレス指定しつつ
処理を繰り返す
画像露光部
　【０００９】
　【００１０】
　【００１１】
　ここで、上記同期データ転送手段は、例えばイエロー（Ｙ）、マゼンダ（Ｍ）、シアン（Ｃ）、ブラック（ＢＫ）の各色別の印字データを感光体等の記録媒体上に印字位置をずらして印字する手段であり、例えばインターフェイスコントローラが対応し、各色の印字ヘッドの配設位置の相違を調整する。また、補正用データ記憶手段は上記同期データ転送手段から出力される印字データを記憶し、例えば印字ヘッドがずれて配置されている場合でも、印字に必要な印字データのみを記憶する。また、選択手段は印字ヘッドの位置ずれ量（例えば、副走査方向に対して基準ヘッドからのずれ角θ）に対応し、例えば上記補正用データ記憶手段に記憶するライン毎の印字データを選択し１ライン印字データを作成する。この作成方法として、例えば上記位置ずれ量に対応して順次連続するラインから印字データを選択し、１ラインデータを作成する。
　【００１２】
　このようにして作成した１ラインデータは印字制御手段によって印字ヘッドに出力され、記録紙に画像が印刷される。すなわち、本発明で使用する補正用データ記憶手段には、選択手段で画像作成に必要な最小限の印字データのみしか記憶されておらず、従来に比較してメモリ容量を削減することができる。
　【００１３】
　
前
前記ヘッドの傾きとは逆方向に
跨って
　【００１４】
　ここで、異なるラインの印字データとは相隣り合うラインの印字データであり、複数ラインの印字データを一部ずつ連続して選択するものである。このように構成することにより、少ない容量のメモリで補正用データ記憶手段を構成するものである。
　【００１５】
　
前
　【００１６】
　すなわち、上記各記録素子に出力する印字データは、上記選択手段によって元画像データの各ラインから選択された印字データであり、請求項
２
画像露光部
情報として
　【００１７】
　請求項
３
１
　【００１８】
　【００１９】
　【００２０】
　【００２１】
　【発明の実施の形態】
　以下、本発明の実施形態を図面を用いて詳細に説明する。
＜第１の実施形態例＞
　図１は、本実施形態の多色画像記録装置の全体構成図である。尚、本実施形態の説明において使用する多色画像記録装置は、所謂タンデム方式のカラープリンタである。同図において、カラープリンタ１は、用紙供給／搬送機構２、複数の画像形成ユニット３、定着器４で構成されている。用紙供給／搬送機構２は、用紙Ｐを積載収納した給紙カセット５、及び用紙搬送系６で構成されている。また、用紙搬送系６は給紙カセット５から用紙Ｐを搬出するための給紙コロ８、給紙コロ８によって搬出された用紙Ｐを搬送する用紙搬送経路７、用紙位置をトナー像に一致させて給紙するための待機ロール９、不図示のモータによって駆動する駆動ロール１０、１１、駆動ロール１０、１１によって回動する搬送ベルト１２で構成されている。
　【００２２】
　給紙カセット５から給紙コロ８の回動により用紙搬送経路７に搬出される用紙Ｐは、給紙コロ８の回動により待機ロール９まで送られ、後述する感光体ドラムに形成されるトナー像と一致するタイミングで搬送ベルト１２上を移動する。尚、除電装置１３は搬送ベルト１２に残る電荷を除去する装置である。
　【００２３】
　用紙Ｐが搬送ベルト１２を移動する間、搬送ベルト１２上の用紙Ｐには各画像形成ユニット１５、１６、１７、１８によって各色のトナーが転写され、用紙Ｐにカラー転写が行われる。その後、定着器４によって熱定着処理を施し、用紙Ｐを機外に搬出する。
　【００２４】
　また、定着器４は熱ロール４ａと圧接ロール４ｂで構成され、用紙Ｐがこの熱ロール４ａと圧接ロール４ｂ間を挟持搬送される間、用紙Ｐに転写された例えば複数色のカラートナーは溶融して用紙Ｐに印刷される。
　【００２５】
　一方、画像形成ユニット部３は上述のように、イエロー（Ｙ）、マゼンダ（Ｍ）、シアン（Ｃ）、ブラック（ＢＫ）の４個の画像形成ユニット１５〜１８で構成され、この順序で配設されている。イエロー（Ｙ）、マゼンダ（Ｍ）、シアン（Ｃ）は、減法混色によりカラー印刷を行う画像形成ユニット１５〜１７であり、ブラック（ＢＫ）の画像形成ユニット１８はモノクロ印刷に使用する画像形成ユニットである。
　【００２６】
　各画像形成ユニット１５〜１８は、現像容器に収納された現像剤（の色）を除き、全く同じ構成であり、感光体ドラムの周面近傍に帯電器、印字ヘッド、現像器、転写器を順次配置する構成である。ここで、４個の画像形成ユニット１５〜１８を代表してイエロー用の画像形成ユニット１５を例にして構成を説明する。感光体ドラム２０は、その周面が例えば有機光導電性材料で構成され、感光体ドラム２０の周面近傍には、帯電器２１、印字ヘッド２２、現像ロール２３’（現像器２３）、転写器２４が順次配設されている。感光体ドラム２０は矢印方向に回動し、先ず帯電器２１からの電荷付与により、感光体ドラム２０の周面を一様に帯電する。次に、印字ヘッド２２から印字情報に基づく光書き込みにより、感光体ドラム２０の周面に静電潜像を形成し、現像ロール２３’による現像処理によりトナー像を形成する。この時、感光体ドラム２０の周面に形成するトナー像は、現像容器２３に収納したイエロー（Ｙ）色のトナーによる。このようにして感光体ドラム２０の周面に形成されるトナー像は、感光体ドラム２０の矢印方向の回動に伴って転写器２４の位置に達し、転写器２４によって搬送ベルト１２上を搬送される用紙Ｐに転写される。
　【００２７】
　用紙Ｐの上面に転写されたトナー像は、搬送ベルト１２の移動と共に矢印方向に搬送され、上述と同様の構成の他の画像形成ユニット１６、１７、によって、イエロー（Ｙ）色のトナーと共に、マゼンダ（Ｍ）、シアン（Ｃ）の各色のトナーが順次転写され、減法混色によるカラー印刷が行われる。例えば、印刷画像が青色であれば、減法混色の原理に基づき画像形成ユニット１６からマゼンタ（Ｍ）色のトナーを用紙Ｐに転写した後、画像形成ユニット１７からシアン（Ｃ）色のトナーを用紙Ｐに転写し、青色画像を実現する。また、例えば、印刷画像が赤色であれば、現像ユニット１５からイエロー（Ｙ）色のトナーを用紙Ｐに転写した後、画像形成ユニット１６からマゼンタ（Ｍ）色のトナーを用紙Ｐに転写し、赤色画像を実現する。
　【００２８】
　図２は上述の構成のカラープリンタ１のシステム構成を示す。カラープリンタ１は、プリントコントロール部２６、エンジンコントロール部２７、ＰＰＣカラーエンジン部２８で構成されている。プリントコントロール部２６は、ホストコンピュータ２９から出力される印刷データを解析し、前述の各印字ヘッド２２（尚、印字ヘッド２２Ｙをイエロー（Ｙ）用とし、印字ヘッド２２Ｍをマゼンダ（Ｍ）用とし、印字ヘッド２２Ｃをシアン（Ｃ）用とし、印字ヘッド２２ＢＫをブラック用とする）に出力するドットパターンデータ（ビデオデータ）を作成する。
　【００２９】
　エンジンコントロール部２７はＣＰＵ等で構成されており、具体的なシステム図を図３に示す。エンジンコントロール部２７はＣＰＵ３０、ＲＯＭ３１、ＲＡＭ３２、ＥＥＰＲＯＭ３３、ビデオＩ／Ｆ制御部３４、ヘッド制御部３５、補正制御部３６、入出力制御部３７で構成されている。ＣＰＵ３０は本実施形態のカラープリンタ１全体のシステム制御を行い、ＲＯＭ３１に記憶されたプログラムに従った制御を行う。また、ＲＡＭ３２はＣＰＵ３０の制御処理中発生するデータを格納する。尚、ＣＰＵ３０にはオペレーションパネル３８が接続され、オペレーションパネル３８からキー操作信号がＣＰＵ３０に出力される。
　【００３０】
　ＥＥＰＲＯＭ３３は、後述する補正値（調整値）を記憶する。また、ビデオＩ／Ｆ制御部３４には上述のプリントコントロール部２６から出力されるビデオデータが入力し、入力したビデオデータはビデオＩ／Ｆ制御部３４の制御により、ヘッド制御部３５に出力される。尚、ビデオＩ／Ｆ制御部３４は上述のビデオデータ以外にも、プリントコントロール部２６との間で各種信号の授受を行う。
　【００３１】
　ヘッド制御部３５はビデオＩ／Ｆ制御部３４から入力するビデオデータを画像形成ユニット１５〜１８に配設された印字ヘッド２２へ出力制御する回路であり、イエロー（Ｙ）のビデオデータは上述の印字ヘッド２２Ｙに出力し、マゼンダ（Ｍ）のビデオデータは印字ヘッド２２Ｍに出力し、シアン（Ｃ）のビデオデータは印字ヘッド２２Ｃに出力し、ブラック（ＢＫ）のビデオデータは印字ヘッド２２ＢＫに出力する。尚、これらの印字ヘッド２２（２２Ｙ等）は上述のように画像形成ユニット１５〜１８内に配設され、図２及び図３においてＰＰＣカラーエンジン部２８の一部を構成する。
　【００３２】
　図４は印字ヘッド２２内のドライブ回路２２’の回路図であり、印字ヘッド２２Ｙ、２２Ｍ、２２Ｃ、２２ＢＫのいずれにおいても同じ構成である。同図に示すように、ドライブ回路２２’はシフトレジスタ４５、ラッチ回路４６、ナンドゲート（ＮＡＮＤゲート）４７、駆動用トランジスタ４８で構成され、駆動用トランジスタ４８から出力する信号に従ってＬＥＤ素子４９を駆動する。シフトレジスタ４５は１ライン分のビデオデータをシリアルに入力できる構成であり、クロック信号（ＣＬＫ）に同期して１ライン分の印字データ（ＨＤＡＴＡ）を入力する。ラッチ回路４６はシフトレジスタ４５に入力したビデオデータをラッチ信号（ＬＡＴＣＨ）に同期してラッチする回路であり、ラッチ回路４６にラッチされた印字データはストローブ信号（ＳＴＲＯＢ）に同期してナンドゲート４７に出力される。
　【００３３】
　ナンドゲート４７に出力された印字データは、例えば印字を行うドットのみハイ（Ｈ）信号であり、対応するナンドゲート４７の出力からハイ（Ｈ）又はロー（Ｌ）信号を駆動トランジスタ４８に出力し、対応するＬＥＤ素子４９を駆動する。尚、上述の構成はイエロー（Ｙ）、マゼンダ（Ｍ）、シアン（Ｃ）、ブラック（ＢＫ）のそれぞれの印字ヘッド２２Ｙ〜２２Ｃでも同じ構成であり、それぞれのビデオデータに基づいて印字ヘッド２２（ＬＥＤ素子４９）から感光体ドラム２０へ光書き込みを行う。
　【００３４】
　尚、上述のビデオデータ以外のＰＰＣカラーエンジン部２８とＣＰＵ３０間の信号の授受は、前述の入出力制御部３７を介して行われる。一方、ＣＰＵ３０に接続された補正制御部３６は、ビデオデータを補正する際使用する回路である。尚、この回路は複数のラインバッファで構成されており、具体的な回路構成は後述する。
　【００３５】
　次に、図５は上述の構成のカラープリンタ１の基本的な動作を説明するタイムチャートである。同図において、感光体ドラム２０の回転方向（以下副走査方向と称する）に対する同期を制御する垂直同期信号（ＶＳＹＮＹ４０ａ、ＶＳＹＮＭ４０ｂ、ＶＳＹＮＣ４０ｃ、ＶＳＹＮＢｋ４０ｄ）は、エンジンコントロール部２７からプリントコントロール部２６に出力される。また、感光体ドラム２０の回転方向と直交する方向（以下、主走査方向と称する）の同期を制御する水平同期信号（ＨＳＹＮＹ４１ａ、ＨＳＹＮＭ４１ｂ、ＨＳＹＮＣ４１ｃ、ＨＳＹＮＢｋ４１ｄ）も、エンジンコントロール部２７からプリントコントロール部２６に出力される。さらに、イエロー（Ｙ）、マゼンダ（Ｍ）、シアン（Ｃ）、ブラック（ＢＫ）の色それぞれについてドット単位で出力されるビデオデータ（ＶｉＤＥＯＹ４２ａ、ＶｉＤＥＯＭ４２ｂ、ＶｉＤＥＯＣ４２ｃ、ＶｉＤＥＯＢｋ４２ｄ）は、同期クロック（ＶＣＬＫＹ４３ａ、ＶＣＬＫＭ４３ｂ、ＶＣＬＫＣ４３ｃ、ＶＣＬＫＢｋ４３ｄ）に同期して、プリントコントロール部２６からエンジンコントロール部２７に出力される。
　【００３６】
　カラープリンタ１は、上述のようにＹ（イエロー）、Ｍ（マゼンタ）、Ｃ（シアン）、Ｂｋ（ブラック）の４色の画像形成ユニット１５〜１８を持ち、各色別に上記各信号が出力される。前述のように、ホストコンピュータ２９から印刷データがプリントコントロール部２６に出力されると、プリントコントロール部２６は、その印字データをＹ、Ｍ、Ｃ、Ｂｋの各色別にビデオデータに変換し、それぞれの色別のページメモリ（不図示）にビデオデータを格納する。このビデオデータがページメモリに１ページ分格納されると、エンジンコントロール部２７にプリント起動信号を出力する。このプリント起動信号が入力したエンジンコントロール部２７は起動し、それぞれの色のプロセス手段を動作させ、用紙Ｐを給紙カセット５から供給する。この用紙Ｐは待機ロール９に達し、最初に書込みを行うイエロー（Ｙ）色のトナーを用紙Ｐの所定位置に書き込むタイミングで待機ロール９を回転すると共に、垂直同期信号（ＶＳＹＮＣ４０ａ）と水平同期信号（ＨＳＹＮＣ４１ａ）をプリントコントロール部２６に出力する。プリントコントロール部２６は、垂直同期信号（ＶＳＹＮＣ４０ａ）と水平同期信号（ＨＳＹＮＣ４１ａ）の出力に同期するようにしてイエロー（Ｙ）のビデオデータ（ＶｉＤＥＯＹ４２ａ）と、同期クロック（ＶＣＬＫＹ４３ａ）を出力する。このビデオデータ（ＶｉＤＥＯＹ４２ａ）が供給されるビデオＩ／Ｆ制御部３４は、ヘッド制御部３５へこのビデオデータ（ＶｉＤＥＯＹ４２ａ）を送り、このビデオデータに従って感光体ドラム２０Ｙを露光し、前述と同様現像処理を行い、顕像化したイエロー（Ｙ）のトナー像を用紙Ｐに転写する。
　【００３７】
　一方、これ以降の垂直同期信号（ＶＳＹＮＭ４０ｂ〜ＶＳＹＮＢｋ４０ｄ）と水平同期信号（ＨＳＹＮＭ４１ｂ〜ＨＳＹＮＢｋ４１ｄ）は、それぞれの色のドラム間の距離と用紙Ｐの搬送速度で決定される時間Ｔｘ１、Ｔｘ２、Ｔｘ３だけの時間差を持ってエンジンコントロール部２７から出力され、垂直同期信号（ＶＳＹＮＭ４０ｂ〜ＶＳＹＮＢｋ４０ｄ）と水平同期信号（ＨＳＹＮＭ４１ｂ〜ＨＳＹＮＢｋ４１ｄ）に同期したそれぞれの色のドットデータが順次露光、現像され、用紙Ｐ上に順次転写される。
　【００３８】
　したがって、垂直同期信号（ＶＳＹＮＹ４０ａ）を基準として垂直同期信号（ＶＳＹＮＭ４０ｂ、ＶＳＹＮＣ４０ｃ、ＶＳＹＮＢｋ４０ｄ）が順次出力される出力時間差Ｔｘ１、Ｔｘ２、Ｔｘ３を変化させることで、感光体ドラム２０に対する露光タイミングを変化させ、用紙Ｐ上のそれぞれの色画像の副走査方向の位置を調整することができる。
　【００３９】
　すなわち、印字ヘッド２２Ｙを基準とした場合、Ｔｘ１の時間を変化させることでＹ（イエロー）に対するＭ（マゼンタ）の画像を副走査方向に対して調整できる。同様にＴｘ１とＴｘ２との和の時間を変化させることで、Ｙ（イエロー）に対するＣ（シアン）の画像を副走査方向に対して調整でき、同じくＴｘ１とＴｘ２とＴｘ３との和の時間を変化させることで、Ｙ（イエロー）に対するＢｋ（ブラック）の画像を副走査方向に対して調整できる。
　【００４０】
　次に、この調整の具体例を以下に説明する。この場合、例えばオペレーションパネル３８のキー操作により、カラープリンタ１を副走査調整モードに切り換え、図６に示すパターンを印刷する（尚、同図において矢印ａ方向が副走査方向である）。そして、この印字結果によりカラープリンタ１に適性値を設定する。例えば、同図の例によれば、基準となる印字ヘッド２２Ｙ（カラープリンタ１）によって符号Ａで示す横１ドットラインを印刷し、同じ用紙Ｐの印刷工程において、調整しようとする印字ヘッド（例えば２２Ｍ）により、符号Ｂで示す横１ドットラインを所定のタイミングずつずらして複数本プリントする。ここで、符号Ｂで示した横線には調整値−５〜＋５がプリントされており、調整を行うカラープリンタ１の印字ヘッド２２Ｍの副走査方向の位置が正しい位置にあれば調整値０の位置で重なる。一方、もし印字ヘッド２２Ｍが位置ズレをおこしていると、このズレに応じた位置でラインが重なり、その時の調整値をオペレーションパネル３８のキー操作により入力し、ＣＰＵ３０に出力する。ＣＰＵ３０はこのデータが入力すると、このデータをＥＥＰＲＯＭ３３に書き込む。基準となる印字ヘッド２２Ｙに対する印字ヘッド２２Ｃ及び印字ヘッド２２ＢＫの調整も、同様な試し印刷の結果に応じてオペレーションパネル３８から適正な調整値が入力される。
　【００４１】
　このようにしてＥＥＰＲＯＭ３３に記憶された調整値のデータは、通常動作時において、電源ＯＮでＥＥＰＲＯＭ３３から読み出され、この調整値のデータによって決定されるタイミングでそれぞれの垂直同期信号（ＶＳＹＮＹ４０ａ〜ＶＳＹＮＢＫ４０ｄ）を出力する。
　【００４２】
　図６のパターンは、Ｙ（イエロー）を基準にしてＹ（イエロー）とＭ（マゼンタ）間、Ｙ（イエロー）とＣ（シアン）間、Ｙ（イエロー）とＢｋ（ブラック）間の３通りをＥＥＰＲＯＭ３３に記憶しており、これによってそれぞれの副走査方向の位置調整が可能となる。次に、主走査方向に対する位置調整を説明する。
　【００４３】
　図７は、プリントコントロール部２６から１ライン分のドットデータを出力する際の垂直同期信号（ＨＳＹＮ４１）とビデオデータ（ＶＩＤＥＯ４２）との関係を示す図である。プリントコントロール部２６は、水平同期信号（ＨＳＹＮ４１）に同期してＴｗ（一書き込み周期）の時間内に１ライン分のビデオデータ（ｎドット）を、同期クロック（ＶＣＬＫ４３）に同期させて出力する。このビデオデータ（ｎドット）が入力するビデオＩ／Ｆ制御部３４は、この１ライン分のビデオデータ（ｎドット）と必要な制御信号をヘッド制御部３５に出力する。
　【００４４】
　また、図８は、上述のビデオデータが入力する印字ヘッド２２の駆動制御を説明するタイムチャートであり、印字ヘッド２２Ｙ、２２Ｍ、２２Ｃ、２２ＢＫのドット数は１ラインのビデオデータｎより大きいｍドットで構成されており、ヘッド制御部３５がＨＣＬＫに同期してｍドットのビデオデータを出力する。印字ヘッド２２（２２Ｙ等）は、入力したｍビットのビデオデータ（ＨＤＡＴＡ）を前述のシフトレジスタ４５に供給すると共に、ラッチ信号に同期してラッチ回路４６にラッチし、ストローブ信号に同期してＬＥＤ素子４９を発光させる。ここで、用紙Ｐと印字ヘッド２２のそれぞれのセンター（中心）を一致させておけば、印字ヘッド２２に対して（ｍ−ｎ）／２のドット数の非発光データをプリントコントロール部２６からのｎドットのデータの先頭と後端に付加することによって正常な印字が行える。すなわち、（ｍ−ｎ）／２のドット数の非発光データを図７に示す期間ＴＬまたはＴＲに挿入することにより、用紙のセンター（Ｃ）に対して、印字ドットを左右に移行し、主走査方向に対する印字位置の調整を行う。また、Ｙ（イエロー）、Ｍ（マゼンタ）、Ｃ（シアン）、Ｂｋ（ブラック）のそれぞれのＬＥＤヘッド２２Ｙ、２２Ｍ、２２Ｃ、２２ＢＫ間で付加するドット数を（ｍ−ｎ）／２から変化させることで画像の第１ドットの位置を各色毎の主走査方向に対して可変することができる。尚、この場合でも、先頭と後端に付加されたドットの合計が（ｍ−ｎ）でなければならない。
　【００４５】
　尚、この調整方法は、図９に示すチャートを利用し、図６の場合と同様にして行う。また、上述の制御は図１０に示す回路によって行う。この回路は前述した図３の補正制御部３６の具体的な回路であり、第１ラインバッファ６１及び第２ラインバッファ６２のそれぞれが、ｍドットの長さを備えたバッファで構成され、ｎドットの印字データはアドレス制御部６３の制御に従ってアドレス指示を行う。プリントコントロール部２６から出力されたｎドットのビデオデータは、前述したビデオインターフェイス制御部３４を経由して入力制御部６４に供給される。この入力制御部６４はまず第１ラインバッファ６１を選択し、第１ラインバッファ６１に、アドレス制御部６３の指定するアドレスから順次ｎドットのデータを書き込む。次に入力する次のラインでは、入力データは第２ラインバッファ６２に書き込まれ、第１ラインバッファ６１の出力をＨＤＡＴＡとして出力制御部６５が、ヘッド制御部３５に出力する。第１ラインバッファ６１及び第２ラインバッファ６２からの出力はｍドットの長さのラインデータを順次出力する。尚、第１ラインバッファ６１、第２ラインバッファ６２は電源ＯＮ時にリセット回路（不図示）によりクリアされており、ｎドットの前後に余白用ドットが付加された形で印字ヘッド２２にｍドットのビデオデータが出力する。
　【００４６】
　このようにして第１ラインバッファ６１、第２ラインバッファ６２はプリントコントロール部２６からのｎドットデータの入力と印字ヘッド２２へのｍドットデータの出力を交互に繰り返す。したがって、アドレス制御部６３の書込みスタートアドレスを変化させることでｎドットデータの前後に付加するドット数を変化させることができ、この変化を、上述の図９で示すチャートを用いて予め設定された調整値に合わせることにより、主走査方向に対する印字位置の調整を行うことができる。
　【００４７】
　次に、印字ヘッド２２が角度誤差を持っている場合の印字位置の調整について説明する。図１１〜図２１は、この調整を説明する図である。先ず、図１１は印字ヘッド２２の位置ずれを説明する図であり、実線で示す現実の印字ヘッド２２の位置が、破線で示す印字ヘッド２２’の正規のヘッド位置に対してズレている場合であり、１ラインのプリント結果を見た時に図１２に示すように印字ヘッド２２に出力するデータを上下に並べ変えて補正するようにしたものである。この場合、印字ヘッド２２の機械的位置は固定した状態のままでデータの並べ変えによって補正を行うようにしたため、同図の符号Ｄで示した位置に不連続な部分が生じて段差が生ずるので、この段差を目視によって判別できない程度まで小さくすることが必要となる。
　【００４８】
　そのために本実施例では、例えば印字ヘッド２２の発光部のサイズを副走査方向に１／３に小さくした場合について説明する。（ただし、この印字ヘッド２２のＬＥＤ素子のサイズを副走査方向に１／６あるいは１／９のように小さくするに従って段差が目立たなくなるが、この場合は従来の発光サイズを図１３（ａ）として、１回の露光で感光体ドラム２０上に１ドット分の静電潜像が形成されたが、同図（ｂ）に示したように副走査方向に小さい発光部の場合は、一回の露光では１ドット分の静電潜像が形成できないため１／３の場合は３回の露光が必要となり、１／６の場合は６回、１／９の場合は９回の露光が必要となる。
　【００４９】
　次に、データの並べ変えについて以下に説明する。図１４は正規のプリント状態を角度誤差のある印字ヘッド２２から見た図で、印字ヘッドを１ドットの１／３に副走査方向を設定した場合である。同図に示すように、１ラインのデータを複数に分割し、印字ヘッド２２に出力するタイミングを変えることによって、前述のように角度誤差のある印字ヘッド２２によっても正規のプリント状態に近い画像を得ることができる。
　【００５０】
　このように、右肩上がりに角度誤差を持った印字ヘッド２２に対し、図１５に示すような複数のラインのデータを、ある露光タイミングで印字ヘッド２２に出力すれば補正することが可能となる。
　【００５１】
　図１６は、ヘッドの角度誤差による位置ズレ量ごとに、１ラインデータを主走査方向に対し、何分割にすべきかを示したもので、例えば、位置ズレ量が５ドット（＝１５／３ドット）の場合には１ラインデータを１６分割すればよいことを示している。
　【００５２】
　また、図１７（ａ）〜（ｃ）乃至図２０（ａ）〜（ｃ）は、上述の図１５及び図１６に記載した内容をさらに具体的に説明する図である。図１７（ａ）〜（ｃ）はズレ量が右上がり１／３ドットの場合、図１８（ａ）〜（ｃ）はズレ量が右下がりに１／３ドットの場合、図１９（ａ）〜（ｃ）はズレ量が右上がりに５ドットの場合、図２０（ａ）〜（ｃ）はズレ量が右下がりに５ドットの場合で、それぞれの場合ごとに印字ヘッド２２に出力するデータを示した例である。
　【００５３】
　尚、図２１は前述した図３の補正制御部３６の別回路を示し、同図に基づいて前述した図１９における６ライン目の１ラインデータが印字ヘッド２２に出力される様子を以下に説明する。先ず、１〜６ライン目の１ラインデータは、入力制御部７０によって選択されたラインバッファ７１〜７７のアドレス制御部７８により指定されたアドレスに既に格納されている。この１〜６ライン目の１ラインデータが格納されると、第７ラインバッファ７７に７ライン目の１ラインデータの格納を開始すると同時に、出力制御部７９及びアドレス制御部７８の指示するラインバッファ及びアドレスから６ライン目の１ラインデータとして、先ず、１／３ラインデータとして、区間１〜区間１６（図１９）の１６分割されたデータをヘッドに出力する。最初に区間１に相当する６ライン目のデータを出力し、次に区間２、３、４に相当する５ライン目のデータを出力し・・・といったように区間１６迄を出力する。
　【００５４】
　次に、２／３ラインデータとして、最初に区間１、２に相当する６ライン目のデータを出力し、次に区間３、４、５に相当する５ライン目のデータを出力し・・・といったように区間１６迄を出力する。
　【００５５】
　さらに、３／３ラインデータとして最初に区間１、２、３に相当する６ライン目データを出力し、次に区間４、５、６に相当する５ライン目データを出力し・・・といったように区間１６に相当する１ライン目迄を出力し、これで６ライン目の１ラインデータ出力が終了する。
　【００５６】
　以上の方式で作られた画像は、図１９（ｃ）に示した１ライン分の画像のように角度誤差のある印字ヘッド２２の場合でも正規のプリント状態に近いものとなる。
　【００５７】
　尚、本実施例における調整の方式は、図６、図９に示すチャートを用いて前述と同様にして行われ例えば、図６のチャートを用紙の左右に配置し、左側で調整値０、右側で調整＋３の位置でＡ、Ｂラインが重なれば、ヘッドが右上がりに３だけ角度誤差を持っていることが判明する。また、主走査方向も同様である。これによって印字ヘッド２２が傾いて設置されている場合でも調整することが可能になる。
　【００５８】
　また、本実施例の変形例として、それぞれのヘッドが湾曲して曲線誤差を持っている場合であっても、同様の方法でヘッドの位置補正することが可能となる。また、本実施例では、印字画像を見て、手動で調整を行うようにしたが、印字結果をスキャナーで読取り、パソコン等によって補正値を算出し、パソコンから直接補正値をプリンタに設定することも可能で、さらには、印字用紙によらずＣＣＤセンサ等によって直接画像露光の光出力を検知し、補正動作を行うようにすることもできる。
　【００５９】
　また、上記実施例においては、印字ヘッド２２は、液晶ヘッド、熱転写ヘッド、レーザヘッドのいずれであってもよい。また、印字ヘッド２２としてＹ（イエロー）を基準としたが、印字ヘッドはＭ（マゼンタ）、Ｃ（シアン）、Ｂｋ（ブラック）のいずれか一つを基準にすることもできる。また、上記実施例において、４個の印字ヘッド２２を使用したが、印字ヘッド２２の数は３個でも２個でも良い。
＜第２の実施形態例＞
　次に、本発明の第２の実施形態例について説明する。
　【００６０】
　先ず、本例の原理について説明する。前述の実施形態例で説明したように、タンデム方式のカラー印刷装置は、シアン（Ｃ）、マゼンダ（Ｍ）、イエロー（Ｙ）、ブラック（Ｋ）の各色に専用の印字ヘッドと感光体ドラムを用意し、一回の行程で各色の印刷を行うことにより、高速印刷を行うものである。この方式で重要になるのは、４色の印字位置を正確に重ね合わせることである。これを実現するために、実装の精度を上げることに加えて、電子回路による補正を行うものである。
　【００６１】
　図２２は各色の印字結果が用紙の進行方向に対して直交しない場合の例を示すものであり、例えば説明のため単にシアン（Ｃ）とマゼンダ（Ｍ）の２色のみの印字ヘッドを示す。シアン（Ｃ）の印字ヘッドは主走査方向（用紙進行方向に直行する方向）に対して平行であり、マゼンダ（Ｍ）の印字ヘッドは主走査方向に対してある角度だけずれており、いわゆる右上がりの状態になっている。
　【００６２】
　このときのシアン（Ｃ）の印字画像は用紙の進行方向に対して直交し、各ラインのデータ配列は図２３のようになる。一方、マゼンダ（Ｍ）の場合、そのままでは右上がりの印字画像となる。そこで、マゼンダ（Ｍ）の印字画像を上記シアン（Ｃ）の印字画像に一致して重ねるにはどうすれば良いかを示した図が図２４であり、マゼンダ（Ｍ）の印字の際に次の様な処理を行う。すなわち、マゼンダ（Ｍ）の印字データを印字する際、・１ライン目の左側には１ライン目の左側のデータを印字し、１ライン目の中央、及び右側にはデータを印字しない。
　【００６３】
　・２ライン目の左側には２ライン目の左側のデータを印字し、２ライン目の中央には１ライン目の中央のデータを印字し、２ライン目の右側にはデータを印字しない。
　【００６４】
　・３ライン目の左側には３ライン目の左側のデータを印字し、３ライン目の中央には２ライン目の中央のデータを印字し、３ライン目の右側には１ライン目の右側のデータを印字する。
　【００６５】
　以下、図２４に示すように印字処理を行う。しかし、このような処理を行うためには、補正するライン数に応じたデータを保持しておく必要がある。例えば、６ライン目の印字開始時点で保持しておく必要のあるデータは、図２５に示すデータである。
　【００６６】
　一方、上述とは逆に、シアン（Ｃ）の印字画像に対してマゼンダ（Ｍ）の印字画像がいわゆる右下がりの状態である場合、図２６の状態となる。この場合には上述とは逆に、これを補正するため図２７に示すように、・１ライン目の右側には１ライン目の右側のデータを印字し、１ライン目の中央、及び右側にはデータを印字しない。
　【００６７】
　・２ライン目の右側には２ライン目の右側のデータを印字し、２ライン目の中央には１ライン目の中央のデータを印字し、２ライン目の左側にはデータを印字しない。
　【００６８】
　・３ライン目の右側には３ライン目の右側のデータを印字し、３ライン目の中央には２ライン目の中央のデータを印字し、３ライン目の左側には１ライン目の左側のデータを印字する。
　【００６９】
　以下、同図に示すように印字処理する。またこの場合、例えば、６ライン目の印字開始時点で保持しておく必要のあるデータは、図２８に示すデータである。したがって、図２５及び図２８に示すように、上記の方式によると必ずしも全ての印字データを保持する必要はなく、図２５において領域ａのデータは印字しないデータであり不要である。また、図２８において領域ｂのデータも同様である。すなわち、本例は不要なデータを記憶するメモリ域を削除し、小さい容量のメモリを用いて印字データの記憶を行うものであり、これにより装置のコストダウンを図ろうとするものである。
　【００７０】
　尚、上述の例ではシアン（Ｃ）の印字ヘッドを基準としてマゼンダ（Ｍ）の印字データを位置合わせする例で説明したが、その他の色についても同様である。以下、具体例な実施形態例を説明する。
　【００７１】
　図２９は本実施形態例を説明するシステム構成図である。尚、本例においても、カラープリンタの全体システムは図２に示す通りであり、図２９の構成は図２に示すエンジンコントロール部２７の構成の一部を示すものである。
　【００７２】
　同図において、同期データ転送手段としての入力制御部８０はプリントコントロール部２６から供給されるビデオデータを入力し、メモリ８２の所定アドレスに出力する。この時、入力制御部８０がビデオデータをメモリ８２に記憶するアドレスは、アドレス制御部８１から出力するアドレス信号に基づいてアドレス変換回路８４が指定するアドレスである。
　【００７３】
　乗余算出回路８３は、アドレス制御部８１と共に選択手段を構成し、アドレス制御部８１から出力されるアドレスデータを、例えば予め設定した設定値に基づいて演算処理を行い補正されたアドレスデータを作成する回路である。例えば、この補正されたアドレスデータの作成は、各印字ヘッド間の配設誤差（ずれ角θ）を測定し、この測定結果に従った演算処理である。
　【００７４】
　アドレス変換回路８４は、上述の乗余算出回路８３が作成したアドレスデータからメモリ８２をアクセスするためのアドレスデータに変換する。メモリ８２は複数ライン分のビデオデータを記憶する容量を有し、上述の入力制御部８０を介して供給されるビデオデータを記憶し、上述のアドレス変換回路８４から出力されるアドレス信号に従ったエリアにビデオデータを記憶する。
　【００７５】
　メモリ８２の記憶されたビデオデータは、アドレス変換回路８４から出力されるアドレスデータに従って指定されたエリアから出力され、出力制御部８５を介してＰＰＣカラーエンジン部２８に出力される。尚、メモリ８２から出力されるビデオデータは各色毎に出力され、対応する色の印字ヘッド２２Ｙ〜２２ＢＫに出力される。
　【００７６】
　次に、本例の処理動作を説明する。本例の説明として、前述の図２２の例に示すように、例えば基準となる印字ヘッドに対してマゼンダ（Ｍ）の印字ヘッドが用紙の進行方向に対して右上がりに形成されている場合について説明する。
　【００７７】
　前述の実施形態例と同様、ホストコンピュータ２９から出力された印刷情報は、プリントコントロール部２６によってビデオデータに変換され、プリントコントロール部２６内のフレームメモリに展開される。その後、所定量のビデオデータがフレームメモリに展開されると、入力制御部８０を介してビデオデータがメモリ８２に供給される。この時、ビデオデータはアドレス変換回路８４から出力されるアドレスデータに従ってメモリ８２の所定アドレスに記憶される。
　【００７８】
　図３０はこの時のアドレス表であり、上述の原理に従って基準ヘッドに対してずれ角θを有する場合、例えば同図に示すアドレス表となる。尚、この例の場合、予め測定したずれ角θに基づいて、基準ヘッドに対して６ライン分印字データがずれているものとしている。従って各ラインを主走査方向に６分割し、区分１はバッファ数「２」とし、区分２〜４はバッファ数「３」とし、区分５〜７はバッファ数「４」とし、区分８〜１０はバッファ数「５」とし、区分１１〜１３はバッファ数「６」とし、区分１４〜１６はバッファ数「７」とし、印字ヘッドのずれに対応するデータをメモリに書き込む構成とする。尚、上述の区分（区間）１〜１６はもともとハード的に１ラインを区分するものであり、上述の６分割はこの１〜１６区分を６分割することになる。
　【００７９】
　具体的には、前述のようにデータ書き込みの際不要となるデータ領域のデータを書き込みしないため、図３１に示すように区間「１」については、データライン番号の「０」、「１」、「０」、「１」・・・のラインデータを繰り返しアクセスする。また、区間「２」〜「４」については、データライン番号の「０」、「１」、「２」、「０」、「１」、「２」・・・のラインデータを繰り返しアクセスし、区間「５」〜「７」については、データライン番号の「０」、「１」、「２」、「３」、「０」、「１」、「２」、「３」・・・のラインデータを繰り返しアクセスする。
　【００８０】
　以下同様にして、６分割目の区間「１４」〜「１６」についてはデータライン番号の「０」、・・・「６」、「０」・・・「６」、・・・のラインデータを繰り返しアクセスする。このようにアドレスをアクセスすることにより、データ印字の際不要となる印字データをメモリに書き込むことを防止する。
　【００８１】
　すなわち、各区間のアドレスのアクセスは剰余算出回路８３により、入力するデータライン番号を対応する区間のバッファ数で割り算し、その余りを算出した結果に基づくものである。
　【００８２】
　アドレス変換回路８４は、データをメモリ８２に書き込む場合、先ず図３１に点線Ａで囲んだ「０」、「０」、「０」の印字データをメモリ８２の、例えばエリア８２ａに書き込む。次に、図３０の点線Ｂで囲んだ「０」、「０」、「０」の印字データをメモリ８２のエリア８２ｂに書き込み、点線Ｃで囲んだ「１」、「１」、「１」の印字データをメモリ８２のエリア８２ｃに書き込む。さらに、図３１の点線Ｄで囲んだ「０」、「０」、「０」の印字データをエリア８２ｄに書き込み、点線Ｅで囲んだ「１」、「１」、「１」の印字データをエリア８２ｅに書き込み、点線Ｆで囲んだ「２」、「２」、「２」の印字データをエリア８２ｆに書き込む。以下同様にして、図３１に示す区分に従ってメモリ８２の対応するエリアに書き込む。
　【００８３】
　次に、上述のようにしてメモリ８２の各エリアに記憶したデータを読み出す場合、以下のように処理する。すなわち、アドレス制御部８１から出力するアドレスデータを乗余算出回路８３で演算し、アドレス変換回路８４でアドレス変換し、メモリ８２をアクセスする。例えば、先ずエリア８２ａのみをアクセスし、エリア８２ａから１ライン目の右端の印字データである「０」、「０」、「０」を出力する。この印字データは、上述のように１ライン目の右端の印字データであり、この印字データに従って感光体ドラム等の画像形成部を介して記録紙に作成される印字は、例えば基準となる印字位置に一致するものとなる。
　【００８４】
　尚、この場合１ライン目の印字データの中で右端の印字データ以外の部分には余白データ（白データ）を自動的に入れる。次に、エリア８２ｂ、８２ｃをアクセスし、エリア８２ｂから１ライン目の右端より少し右側のデータ「０」、「０」、「０」と、２ライン目の右端のデータ「１」、「１」、「１」を読み出す。この場合にも、２ライン目の他の領域には余白データ（白データ）を自動的に付加する。さらに、エリア８２ｄ、８２ｅ、８２ｆをアクセスし、エリア８２ｄから１ライン目の右端より更に右側のデータ「０」、「０」、「０」と、２ライン目の右端より右側のデータ「１」、「１」、「１」、及び３ライン目の右端のデータ「２」、「２」、「２」を読み出し、他のエリアには余白データを付加し、印字ヘッド２２へ出力する。
　【００８５】
　以下、上述の処理を繰り返し、基準となる印字ヘッドの印字位置に一致する印字データを出力し、記録紙に印字を行う。このように本実施形態例によれば、メモリ８２を必要限度のメモリ領域で構成し、極めて効率の良いメモリの使用を実現するものである。
＜第３の実施形態例＞
　次に、第３の実施形態例について説明する。
　【００８６】
　本例は、イエロー（Ｙ）、マゼンダ（Ｍ）、シアン（Ｃ）、ブラック（ＢＫ）の印字ヘッドの配設について、最もメモリ容量を少なくするための配設構成を説明するものである。
　【００８７】
　図３２は用紙Ｐの進行方向に対してイエロー（Ｙ）、マゼンダ（Ｍ）、シアン（Ｃ）、ブラック（ＢＫ）の各印字ヘッド２２Ｙ〜２２ＢＫを配置した状態を示す図である。また、同図に示すＬｙ、Ｌｍ、Ｌｃ、Ｌｂｋは、それぞれ印字ヘッド２２Ｙ〜２２ＢＫの中心線を示す。かかる配設構成において、従来では図３３に示すように、例えばブラック（ＢＫ）の印字ヘッド２２ｂｋを基準として他の印字ヘッド２２Ｙ〜２２Ｃの位置ずれ（ずれ角θ）を設定している。
　【００８８】
　しかしこの場合には、基準となる印字ヘッド２２ＢＫに対して他の印字ヘッドの位置ずれ（ずれ角θ）が大きくなり、特に最も大きなずれ角θを有するイエロー（Ｙ）の印字ヘッド２２Ｙでは大きなメモリ容量を必要とする。すなわち、印字ヘッドの傾きが大きいため、不要であるメモリ領域を大きく設ける必要があるからである。
　【００８９】
　そこで、本例は図３４（ａ）、（ｂ）に示すように、基準となる印字ヘッドをずれ角θが真ん中（中間）であるマゼンダ（Ｍ）又はシアン（Ｃ）の印字ヘッド２２Ｍ、２２Ｃとすることで、基準ヘッドからのずれ角θを小さく構成するものである。
　【００９０】
　図３４（ａ）は、シアン（Ｃ）の印字ヘッド２２Ｃを基準とする場合であり、イエロー（Ｙ）、マゼンダ（Ｍ）の印字ヘッド２２Ｙ及び２２Ｍは、＋（プラス）のずれ角θを有し、ブラック（ＢＫ）の印字ヘッド２２ＢＫは−（マイナス）のずれ角θを有する。そしてこの場合、いずれの印字ヘッド２２Ｙ、２２Ｍ、２２ＢＫも基準となる印字ヘッド２２Ｃに対して小さなずれ角θを有するだけである。
　【００９１】
　また、同図（ｂ）は、マゼンダ（Ｍ）の印字ヘッド２２Ｍを基準とする場合であり、この場合イエロー（Ｙ）の印字ヘッド２２Ｙは、＋（プラス）のずれ角θを有し、マゼンダ（Ｍ）及びブラック（ＢＫ）の印字ヘッド２２Ｍ、２２ＢＫは−（マイナス）のずれ角θを有する。そしてこの場合においても、いずれの印字ヘッド２２Ｙ、２２Ｃ、２２ＢＫも基準となる印字ヘッド２２Ｍに対して小さなずれ角θを有するだけである。
　【００９２】
　したがって、上述のように印字ヘッドを配設することにより、基準ヘッドに対する各印字ヘッドのずれ角θは小さなものとなり、各印字ヘッドに印字データを供給するメモリ容量を小さく構成することができる。
　【００９３】
　尚、上述の実施形態例では基準となる印字ヘッドはイエロー（Ｙ）、マゼンダ（Ｍ）、シアン（Ｃ）、ブラック（ＢＫ）と配置された印字ヘッド２２Ｙ〜２２ＢＫの真ん中に位置するマゼンダ（Ｍ）、又はシアン（Ｃ）の印字ヘッド２２Ｍ、２２Ｃであったが、必ずしも真ん中に位置する場合に限るものではない。例えば、イエロー（Ｙ）やブラック（ＢＫ）の印字ヘッド２２Ｙ、２２ＢＫであっても、そのずれ角θが４個の印字ヘッドの中間に位置するものであれば、これらの印字ヘッド２２Ｙ、又は２２ＢＫを基準印字ヘッドとすることもできる。
　【００９４】
　【発明の効果】
　以上説明したように、本発明によれ
ば、
　【００９５】
　
また本
。
　【００９６】
【図面の簡単な説明】
　【図１】
　一実施形態におけるカラープリンタの全体構成図である。
　【図２】
　一実施形態におけるカラープリンタのシステム構成図である。
　【図３】
　エンジンコントロール部のシステム構成図である。
　【図４】
　印字ヘッドのドライブ回路を示す回路図である。
　【図５】
カラープリンタの動作を説明するタイムチャートである。
　【図６】
　一実施形態におけるカラープリンタの副走査方向のヘッド位置を調整するパターン図である。
　【図７】
　一実施形態におけるカラープリンタのＬＥＤヘッドを駆動するタイムチャートである。
　【図８】
　一実施形態におけるカラープリンタの印字ヘッドを駆動するタイムチャートである。
　【図９】
　一実施形態におけるカラープリンタの主走査方向のヘッド位置を調整するパターン図である。
　【図１０】
　補正制御部３６の具体的回路図である。
　【図１１】
　主走査方向の印字ヘッドの位置ズレの補正方法を説明する図である。
　【図１２】
　主走査方向の印字ヘッドの位置ズレの補正方法を説明する図である。
　【図１３】
　印字ヘッドの位置ズレを説明する図である。
　【図１４】
　印字ヘッドの位置ズレを補正するためのデータを説明する図である。
　【図１５】
　印字ヘッドの位置ズレを補正するためのデータを説明する図である。
　【図１６】
　印字ヘッドのズレ量と分割数の関係を示す図である。
　【図１７】
　（ａ）、（ｂ）は印字ヘッドの位置ズレを説明する図であり、（ｃ）は印字ヘッドの位置ズレの補正方法を説明する図である。
　【図１８】
　（ａ）、（ｂ）は印字ヘッドの位置ズレを説明する図であり、（ｃ）はＬＥＤヘッドの位置ズレの補正方法を説明する図である。
　【図１９】
　（ａ）、（ｂ）はＬＥＤヘッドの位置ズレを説明する図であり、（ｃ）はＬＥＤヘッドの位置ズレの補正方法を説明する図である。
　【図２０】
　（ａ）、（ｂ）はＬＥＤヘッドの位置ズレを説明する図であり、（ｃ）はＬＥＤヘッドの位置ズレの補正方法を説明する図である。
　【図２１】
　補正制御部の他の具体的回路図である。
　【図２２】
　各色の印字結果が用紙の進行方向に対して直交しない場合の例を示すものであり、主走査方向の印字ヘッドの位置ズレの補正方法を説明する図である。
　【図２３】
　シアン（Ｃ）の印字画像が用紙の進行方向に対して直交する例を示す図である。
　【図２４】
　マゼンダ（Ｍ）の印字画像を上記シアン（Ｃ）の印字画像に一致して重ねるにはどうすれば良いかを示した図である。
　【図２５】
　６ライン目の印字開始時点で保持しておく必要のあるデータを説明する図である。
　【図２６】
　シアン（Ｃ）の印字画像に対してマゼンダ（Ｍ）の印字画像がいわゆる右下がりの状態である場合の例を説明する図である。
　【図２７】
　マゼンダ（Ｍ）の印字画像を上記シアン（Ｃ）の印字画像に一致して重ねるにはどうすれば良いかを示した図である。
　【図２８】
　６ライン目の印字開始時点で保持しておく必要のあるデータを説明する図である。
　【図２９】
　第２の実施形態例を説明するシステム構成図である。
　【図３０】
　第２の実施形態例を説明するアドレス表である。
　【図３１】
　アドレスデータの変換テーブルである。
　【図３２】
　印字ヘッドの配設構成図である。
　【図３３】
　通常使用される印字ヘッドの配設構成図である。
　【図３４】
　（ａ）、（ｂ）は第３の実施形態例を説明する印字ヘッドの配設構成図である。
　【符号の説明】
　１　カラープリンタ
　２　用紙供給／搬送機構
　３　画像形成ユニット
　４　定着器
　５　給紙カセット
　６　用紙搬送系
　７　用紙搬送経路
　８　給紙コロ
　９　待機ロール
　１０、１１　駆動ロール
　１２　搬送ベルト
　１３　除電器
　１５〜１８　画像形成ユニット
　２０　感光体ドラム
　２１　帯電器
　２２　印字ヘッド
　２３　現像器
　２３’現像ロール
　２４　転写器
　２６　プリントコントロール部
　２７　エンジンコントロール部
　２８　ＰＰＣカラーエンジン部
　２９　ホストコンピュータ
　３０　ＣＰＵ
　３１　ＲＯＭ
　３２　ＲＡＭ
　３３　ＥＥＰＲＯＭ
　３４　ビデオＩ／Ｆ制御部
　３５　ヘッド制御部
　３６　補正制御部
　３７　入出力制御部
　３８　オペレーションパネル
　４０　ＶＳＹＮ
　４１　ＨＳＹＮ
　４２　ＶＩＤＥＯ
　４３　ＶＣＬＫ
　６１、６２、７１〜７７　ラインバッファ
　６３、７８　アドレス制御部
　６４、７０　入力制御部
　６５、７９　出力制御部
　８０　入力制御部
　８１　アドレス制御部
　８２　メモリ
　８３　剰余算出回路
　８４　アドレス変換回路
　８５　出力制御部